(57)【要約】      （修正有）【課題】横漏れを抑制しつつ、リウェットを防止する性能を向上できる吸収性物品を提供する。【解決手段】吸収性物品は、吸収コア（３１）と、吸収コアよりも肌面側に配置された肌面側シート（２０）と、肌面側シートよりも肌面側に配置された中間シート（１５）と、中間シートの肌面側の面を覆うトップシート（１０）と、を有する。吸収性物品には、肌面側同士が対向するように折り畳むための一対の折り線（ＦＬ１、ＦＬ２）が前後方向に沿って形成されている。トップシートは、中間シートよりも幅方向の外側において非肌面側に折り返された折り返し部（１２）を有する。折り返し部が肌面側シートに対して接合された接合領域（Ｒ１１）と、接合領域よりも幅方向の外側において折り返し部が肌面側シートに接合されていない非接合領域（Ｒ１２）と、が設けられている。【選択図】図２
2020068972.tif 000002
【特許請求の範囲】
【請求項１】
互いに直交する前後方向及び幅方向と、
トップシートと、
前記トップシートよりも非肌対向面側に配置された中間シートと、
前記トップシートよりも非肌対向面側に配置された肌面側シートと、
前記中間シートよりも非肌対向面側に配置された吸収コアと、を有し、
吸収性物品の肌対向面同士が対向するように前記吸収性物品を折り畳むための一対の折り線が前記前後方向に沿って形成された吸収性物品であって、
前記トップシートは、前記中間シートよりも前記幅方向の外側において非肌対向面側に折り返された折り返し部を有し、
前記折り返し部が前記肌面側シートに対して接合された接合領域と、前記接合領域よりも前記幅方向の外側において前記折り返し部が前記肌面側シートに接合されていない非接合領域と、が設けられており、
前記非接合領域の少なくとも一部は、前記折り線よりも前記幅方向の外側に配置されており、
前記折り線は、前記中間シートの外側縁よりも前記幅方向の外側に形成されている、吸収性物品。
【請求項２】
互いに直交する前後方向及び幅方向と、
トップシートと、
前記トップシートよりも非肌対向面側に配置された肌面側シートと、
前記トップシートよりも前記非肌対向面側に配置された吸収コアと、を有し、
吸収性物品の肌対向面同士が対向するように前記吸収性物品を折り畳むための一対の折り線が前記前後方向に沿って形成された吸収性物品であって、
前記吸収コアの非肌対向面側の面を覆うシート層を有し、
少なくとも前記吸収コアとシート層は、前記吸収コアの前記幅方向の中央において厚さ方向に凹み、前記前後方向に沿う中央誘導部を有し、
前記トップシートは、前記幅方向の外側において非肌対向面側に折り返された折り返し部を有し、
前記折り返し部が前記肌面側シートに対して接合された接合領域と、前記接合領域よりも前記幅方向の外側において前記折り返し部が前記肌面側シートに接合されていない非接合領域と、が設けられており、
前記非接合領域の少なくとも一部は、前記折り線よりも前記幅方向の外側に配置されており、
前記折り線は、前記非接合領域に形成されている、吸収性物品。
【請求項３】
前記中央誘導部の前記幅方向の両側には、少なくとも前記吸収コアが厚さ方向に圧縮され、かつ前記前後方向に沿う一対の圧搾部が設けられている、請求項２に記載の吸収性物品。
【請求項４】
前記吸収コアの外側縁は、前記折り線よりも前記幅方向の内側に位置する、請求項１から請求項３のいずれか１項に記載の吸収性物品。
【請求項５】
前記吸収コアの肌対向面側の面を覆うティッシュ層を有し、
前記折り線は、前記ティッシュ層に形成されている、請求項１から請求項４のいずれか１項に記載の吸収性物品。
【請求項６】
前記吸収コアの非肌対向面側の面を覆うシート層を有し、
前記シート層は、前記ティッシュ層よりも前記幅方向の外側に延出している、請求項５に記載の吸収性物品。
【請求項７】
前記トップシートと前記中間シートを接合するエンボス部が形成されており、
前記エンボス部は、前記中間シートが配置された領域のみに形成されている、請求項１に記載の吸収性物品。
【請求項８】
前記吸収性物品の平面視にて、前記エンボス部は、線状に延び、かつ格子形状に配置された線エンボス部と、点状の点エンボス部と、を有し、
前記線エンボス部は、前記線エンボス部が延びる方向に間隔をあけて配置され、
前記点エンボス部は、前記線エンボス部間において前記格子形状の角部に配置されており、
前記点エンボス部の幅は、前記線エンボス部の幅よりも長い、請求項７に記載の吸収性物品。
【請求項９】
前記トップシートと前記中間シートを接合する接着剤を有しており、
前記接着剤は、平面視にて所定パターンを形成しており、前記所定パターンは、オメガパターン、ウェイブパターン又はスパイラルパターンを有している、請求項７又は請求項８に記載の吸収性物品。
【発明の詳細な説明】
【技術分野】
【０００１】
本発明は、生理用ナプキン等の吸収性物品に関する。
【背景技術】
【０００２】
従来、吸収性物品としての生理用ナプキンが知られている。例えば、特許文献１には、吸収コアと、吸収コアの肌対向面側に配置されたトップシートと、有し、トップシートに幅方向の両側において折り返された折り返し部が設けられた吸収性物品が開示されている。特許文献１の吸収性物品は、使用前に、前後方向に延び折り線を介して吸収性物品の肌対向面同士が対向するように折り畳まれている。折り線は、トップシートの折り返し部に重なっている。トップシートの折り返し部は、着用時に折り癖によって着用者側に起立可能である。トップシートの折り返し部が着用者の排泄口の側方で身体に当たることで横漏れを抑制できる。
【先行技術文献】
【特許文献】
【０００３】
【特許文献１】特許第６３１３８１７号公報
【発明の概要】
【発明が解決しようとする課題】
【０００４】
生理用ナプキン等の吸収性物品は、一般的に、排泄物を吸収した後も、一定時間装着され続ける。排泄物を吸収した後の吸収性物品が装着され続けると、吸収性物品にかかる体圧によって吸収された体液がリウェットすることがある。よって、リウェットを防止することが求められている。
【０００５】
よって、横漏れの抑制しつつ、リウェットを防止する性能を向上できる吸収性物品が望まれる。
【課題を解決するための手段】
【０００６】
一態様に係る吸収性物品は、互いに直交する前後方向及び幅方向と、トップシートと、前記トップシートよりも非肌対向面側に配置された中間シートと、前記トップシートよりも非肌対向面側に配置された肌面側シートと、前記中間シートよりも非肌対向面側に配置された吸収コアと、を有し、吸収性物品の肌対向面同士が対向するように前記吸収性物品を折り畳むための一対の折り線が前記前後方向に沿って形成された吸収性物品であって、前記トップシートは、前記中間シートよりも前記幅方向の外側において非肌対向面側に折り返された折り返し部を有し、前記折り返し部が前記肌面側シートに対して接合された接合領域と、前記接合領域よりも前記幅方向の外側において前記折り返し部が前記肌面側シートに接合されていない非接合領域と、が設けられており、前記非接合領域の少なくとも一部は、前記折り線よりも前記幅方向の外側に配置されており、前記折り線は、前記非接合領域において前記中間シートの外側縁よりも前記幅方向の外側に形成されている。
【０００７】
他の態様に係る吸収性物品は、互いに直交する前後方向及び幅方向と、トップシートと、前記トップシートよりも前記非肌対向面側に配置された吸収コアと、を有し、吸収性物品の肌対向面同士が対向するように前記吸収性物品を折り畳むための一対の折り線が前記前後方向に沿って形成された吸収性物品であって、前記吸収コアの外側縁は、前記折り線よりも前記幅方向の内側に位置し、前記吸収コアの非肌対向面側の面を覆うシート層を有し、少なくとも前記吸収コアとシート層は、前記吸収コアの前記幅方向の中央において前記厚さ方向に凹み、前記前後方向に沿う中央誘導部を有し、前記トップシートは、前記幅方向の外側において非肌対向面側に折り返された折り返し部を有し、前記折り返し部が前記肌面側シートに対して接合された接合領域と、前記接合領域よりも前記幅方向の外側において前記折り返し部が前記肌面側シートに接合されていない非接合領域と、が設けられており、前記非接合領域の少なくとも一部は、前記折り線よりも前記幅方向の外側に配置されており、前記折り線は、前記非接合領域に形成されている。
【図面の簡単な説明】
【０００８】
【図１】図１は、一実施形態における吸収性物品の平面図である。
【図２】図２は、図１に示す２Ａ−２Ａ線に沿った吸収性物品の断面図である。
【図３】図３は、吸収性物品の折り畳み態様を説明するための図である。
【図４】図４は、図１に示す２Ａ−２Ａ線に沿った断面における着用状態を模式的に示した図である。
【図５】図５は、図４を基準とした断面における吸収コア及びティッシュ層の変形態様を模式的に示している。
【発明を実施するための形態】
【０００９】
（１）実施形態の概要
本明細書及び添付図面の記載により、少なくとも以下の事項が明らかとなる。
一態様に係る吸収性物品は、互いに直交する前後方向及び幅方向と、トップシートと、前記トップシートよりも非肌対向面側に配置された中間シートと、前記トップシートよりも非肌対向面側に配置された肌面側シートと、前記中間シートよりも非肌対向面側に配置された吸収コアと、を有し、吸収性物品の肌対向面同士が対向するように前記吸収性物品を折り畳むための一対の折り線が前記前後方向に沿って形成された吸収性物品であって、前記トップシートは、前記中間シートよりも前記幅方向の外側において非肌対向面側に折り返された折り返し部を有し、前記折り返し部が前記肌面側シートに対して接合された接合領域と、前記接合領域よりも前記幅方向の外側において前記折り返し部が前記肌面側シートに接合されていない非接合領域と、が設けられており、前記非接合領域の少なくとも一部は、前記折り線よりも前記幅方向の外側に配置されており、前記折り線は、前記非接合領域において前記中間シートの外側縁よりも前記幅方向の外側に形成されている。
【００１０】
本態様によれば、第１折り線及び第２折り線よりも幅方向の外側の非接合領域には、着用時に折り癖によって着用者側により起立可能な起立部が設けられる。トップシートの起立部が着用者の排泄口の側方で身体に当たり、横漏れを抑制できる。また、トップシートを介して中間シートに導かれた体液は、中間シート内を拡散し、中間シートの外側縁に導かれる。中間シートの外側縁は、折り線よりも幅方向の内側に位置し、起立部まで体液が到達し難い。また、体液を吸収した吸収コアに体圧がかかると、体液が肌対向面側に滲み出ることがある。このとき、起立部と肌面側シートとの間に空間が形成されることにより、吸収コアから肌面側シートに体液が導かれた場合であっても、当該体液が起立部に到達し難い。よって、起立部を介した体液のリウェットを抑制できる。よって、横漏れを抑制しつつリウェットを防止する性能を向上できる。
【００１１】
他の態様に係る吸収性物品は、互いに直交する前後方向及び幅方向と、トップシートと、前記トップシートよりも前記非肌対向面側に配置された吸収コアと、を有し、吸収性物品の肌対向面同士が対向するように前記吸収性物品を折り畳むための一対の折り線が前記前後方向に沿って形成された吸収性物品であって、前記吸収コアの外側縁は、前記折り線よりも前記幅方向の内側に位置し、前記吸収コアの非肌対向面側の面を覆うシート層を有し、少なくとも前記吸収コアとシート層は、前記吸収コアの前記幅方向の中央において前記厚さ方向に凹み、前記前後方向に沿う中央誘導部を有し、前記トップシートは、前記幅方向の外側において非肌対向面側に折り返された折り返し部を有し、前記折り返し部が前記肌面側シートに対して接合された接合領域と、前記接合領域よりも前記幅方向の外側において前記折り返し部が前記肌面側シートに接合されていない非接合領域と、が設けられており、前記非接合領域の少なくとも一部は、前記折り線よりも前記幅方向の外側に配置されており、前記折り線は、前記非接合領域に形成されている。
【００１２】
本態様によれば、第１折り線及び第２折り線よりも幅方向の外側の非接合領域には、着用時に折り癖によって着用者側により起立可能な起立部が設けられる。トップシートの起立部が着用者の排泄口の側方で身体に当たり、横漏れを抑制できる。また、体液を吸収した吸収コアに体圧がかかると、体液が肌対向面側に滲み出ることがある。このとき、起立部と肌面側シートとの間に空間が形成されることにより、吸収コアから肌面側シートに体液が導かれた場合であっても、当該体液が起立部に到達し難い。よって、起立部を介した体液のリウェットを抑制できる。また、吸収コア及びシート層は、吸収コアの幅方向の中央に配置された中央誘導部を有する。中央誘導部は、厚さ方向に凹んでいる。トップシートを介して吸収コアに導かれた体液は、中央誘導部によって引き込まれるとともに、吸収コアの非肌対向面側に配置されたシート層に導かれる。排出された体液を非肌対向面側に引き込むことにより、体液のリウェットを抑制できる。よって、横漏れを抑制しつつリウェットを防止する性能を向上できる。
【００１３】
好ましい一態様によれば、前記中央誘導部の前記幅方向の両側には、少なくとも前記吸収コアが厚さ方向に圧縮され、かつ前記前後方向に沿う一対の圧搾部が設けられてよい。
【００１４】
本態様によれば、吸収コアは、着用時に、前後方向に沿う中央誘導部と前後方向に沿う一対の圧搾部を基点に変形し易い。よって、着用者の脚の挟み込みの力が作用すると、幅方向の両側に位置する圧搾部を基点として中央誘導部が着用者側に立ち上がる形状を実現できる。着用者側に向かう凸状に吸収コアが変形することにより、中央誘導部と排泄口を近づけて配置でき、排泄口からの体液が中央誘導部を介して引き込まれ易くなる。また、中央誘導部を介して非肌対向面側に体液を導くことができずに、吸収コアの肌対向面側を体液が拡散した場合や吸収コア内を体液が拡散した場合においては、中央誘導部よりも幅方向の外側に位置する圧搾部によって前後方向に体液を導くことができ、体液の横漏れを抑制できる。
【００１５】
好ましい一態様によれば、前記吸収コアの外側縁は、前記折り線よりも前記幅方向の内側に位置してよい。
【００１６】
本態様によれば、吸収コアとトップシートが共に折られる構成と比較して、折られた際の圧力が小さく、トップシートの硬化を抑制できる。よって、起立部の肌に対する当たりを和らげることができる。また、吸収コアとトップシートが共に折られる構成と比較して、着用時に折り癖によって吸収コアに追従し難く、吸収コアに対して立ち上がりやすくなる。起立部の起立性を維持し、より横漏れを抑制しつつリウェットを防止する性能を向上できる。
【００１７】
好ましい一態様によれば、前記吸収コアの肌対向面側の面を覆うティッシュ層を有し、前記折り線は、前記ティッシュ層に形成されてよい。
【００１８】
本態様によれば、ティッシュ層が折り線によって折り畳まれると、折られる際に繊維間の隙間が広がる。そのため、折り線が形成された部分の密度は、折り線が形成されていない部分の密度よりも低くなる。ティッシュ層の密度は、吸収性物品の幅方向の中央から側方に向かって、高、低、高の順となる。よって、ティッシュ層内を体液が拡散した際に、折り線が形成された部分（密度の低い部分）に体液が到達しても、更に側方の折り線が形成されていない部分（密度の高い部分）に体液が拡散しにくい。起立部と重なる領域に体液が拡散し難く、起立部を介したリウェットを抑制できる。
【００１９】
好ましい一態様によれば、前記吸収コアの非肌対向面側の面を覆うシート層を有し、前記シート層は、前記ティッシュ層よりも前記幅方向の外側に延出してよい。
【００２０】
本態様によれば、ティッシュ層よりもシート層の方が幅方向の長さが長く、かつティッシュ層よりもシート層の方が繊維間の空隙に体液を引き込みやすいため、より身体から離れた側において体液を拡散させ、肌対向面側へのリウェットを抑制できる。
【００２１】
好ましい一態様によれば、前記トップシートと前記中間シートを接合するエンボス部が形成されており、前記エンボス部は、前記中間シートが配置された領域のみに形成されてよい。
【００２２】
本態様によれば、エンボス部は、厚さ方向に凹んでおり、体液を平面方向に拡散できる。このとき、中間シートが配置された領域のみにエンボス部が形成されているため、体液が中間シートよりも幅方向の外側に拡散し難く、トップシートの起立部に拡散し難い。よって、より横漏れを抑制しつつリウェットを防止する性能を向上できる。
【００２３】
好ましい一態様によれば、前記吸収性物品の平面視にて、エンボス部は、線状に延び、かつ格子形状に配置された線エンボス部と、点状の点エンボス部と、を有し、前記線エンボス部は、前記線エンボス部が延びる方向に間隔をあけて配置され、前記点エンボス部は、前記線エンボス部間において前記格子形状の角部に配置されており、前記点エンボス部の幅は、前記線エンボス部の幅よりも長くてよい。
【００２４】
本態様によれば、線エンボス部を介して拡散した体液は、点エンボス部に到達する。点エンボス部は、格子形状の角部に位置し、複数の線エンボス部を介して体液が集まる。エンボス部は、厚さ方向に凹んでおり、吸収コアとの距離が短く、吸収コアに体液を導きやすい。点エンボス部の幅が線エンボス部の幅よりも長いため、集まった体液をより吸収コアに導きやすくなる。身体から離れた側に体液を導くことにより、リウェットをより抑制できる。
【００２５】
好ましい一態様によれば、前記トップシートと前記中間シートを接合する接着剤を有しており、前記接着剤は、平面視にて所定パターンを形成しており、前記所定パターンは、オメガパターン、ウェイブパターン又はスパイラルパターンを有してよい。
【００２６】
本態様によれば、エンボス部と接着剤とによってトップシートと中間シートを接合する。エンボス部と接着剤を併せて設けることにより、エンボス部の面積を低減し、肌触りの低下を抑制できる。また、接着剤が配置された領域と配置されていない領域を設けることができ、接着剤が配置されていない領域において体液の引き込み性を確保できる。
【００２７】
＝＝＝本実施の形態に係る吸収性物品について＝＝＝
以下、図面を参照して、実施形態に係る吸収性物品について説明する。以下の実施形態では、吸収性物品の一例として使い捨ての生理用ナプキンについて説明する。
【００２８】
なお、以下の図面の記載において、同一又は類似の部分には、同一又は類似の符号を付している。ただし、図面は模式的なものであり、各寸法の比率等は現実のものとは異なる場合があることに留意すべきである。したがって、具体的な寸法等は、以下の説明を参酌して判断すべきである。また、図面相互間においても互いの寸法の関係や比率が異なる部分が含まれ得る。
【００２９】
（１）吸収性物品の全体概略構成
図１は、一実施形態における吸収性物品の平面図である。図２は、図１に示す２Ａ−２Ａ線に沿った吸収性物品の断面図である。図４は、図１に示す２Ａ−２Ａ線に沿った断面における着用状態を模式的に示した図である。図２においては、説明の便宜上、吸収性物品を構成する各部材が厚さ方向に離間しているが、実際の製品においては、各部材が接合された部分を有する。
【００３０】
吸収性物品１は、互いに直交する前後方向Ｌと幅方向Ｗを有し、かつ着用者の肌対向面側Ｔ１から非肌対向面側Ｔ２へ延びる厚さ方向Ｔを有する。肌対向面側Ｔ１は、使用時に、着用者の肌に面する側に相当する。非肌対向面側Ｔ２は、使用時に、肌対向面側Ｔ１とは反対側、すなわち着用者の肌とは反対に向けられる側に相当する。
【００３１】
吸収性物品１は、股下域Ｓ１、前側域Ｓ２及び後側域Ｓ３を有する。股下域Ｓ１は、着用者の排泄口、例えば膣口に対向する領域である。吸収性物品１が下着に装着されたときに、股下域Ｓ１は下着の股下部に配置され、着用者の両足の間に配置される領域である。前側域Ｓ２は、股下域Ｓ１よりも前側に位置する。前側域Ｓ２の前端縁は、吸収性物品１の前端縁を規定する。後側域Ｓ３は、股下域Ｓ１よりも後方に位置する。後側域Ｓ３の後端縁は吸収性物品１の後端縁を規定する。
【００３２】
吸収性物品１は、ウイング３を有する。ウイング３は、股下域Ｓ１における吸収コア３１の外側縁３１Ｅよりも幅方向Ｗの外側に延出している。ウイング３は、股下域Ｓ１に設けられている。ウイング３の前端縁は、ウイング３の付け根によって規定されており、最も幅方向Ｗの内側に窪んだ２つの部分のうち、前側に位置する部分に相当する。ウイング３の前端縁は、股下域Ｓ１と前側域Ｓ２との境界を規定する。ウイング３の後端縁は、ウイング３の付け根によって規定されており、最も幅方向Ｗの内側に窪んだ２つの部分のうち、後側に位置する部分に相当する。ウイング３の後端縁は、股下域Ｓ１と後側域Ｓ３との境界を規定する。
【００３３】
吸収性物品１は、吸収コア３１と、肌面側シート２０と、中間シート１５と、トップシート１０と、バックシート２５と、を少なくとも有してよい。吸収コア３１は、少なくとも股下域Ｓ１と後側域Ｓ３に配置されており、前側域Ｓ２から後側域Ｓ３にかけて配置されてよい。吸収コア３１は、液体を吸収する吸収材料を有する。本実施の形態は、吸収材料としてのパルプ及びＳＡＰを有してよい。変形例に係る吸収コアは、ＳＡＰを有していなくてもよい。
【００３４】
肌面側シート２０は、吸収コア３１よりも肌対向面側Ｔ１に配置されている。本実施の形態の肌面側シート２０は、後述するティッシュ層３２と、トップシート１０の折り返し部１１と、の間に配置されている。肌面側シート２０は、ウイングの肌対向面側の面を構成し、肌面側シート２０の外側縁２０Ｅは、ウイング３の外側縁に到達しており、ウイングが下着の非肌対向面側に折り返されていない状態において吸収性物品の外側縁に到達している。肌面側シート２０は、幅方向に間隔を空けて左右一対で設けられてよい。肌面側シート２０の内側縁２０Ｉは、吸収性物品の幅方向の中心に到達してなく、折り返し部の内側縁に一致してよいし、吸収コア３１の外側縁よりも幅方向の外側に位置してよい。肌面側シートは、不織布によって構成されてよく、その表面が疎水処理されていてもよい。
【００３５】
中間シート１５は、肌面側シート２０よりも肌対向面側Ｔ１に配置されている。本実施の形態の中間シート１５は、トップシート１０において折り返されていない非折り返し部１２と、ティッシュ層３２と、の間に配置されている。中間シート１５の肌対向面側Ｔ１の面は、全体にわたってトップシート１０の非折り返し部１２によって覆われている。中間シート１５の非肌対向面側Ｔ２の面は、全体にわたってティッシュ層３２によって覆われている。なお、変形例において中間シート１５の非肌対向面側Ｔ２の面の外側部がトップシート１０の折り返し部１１によって覆われていてもよい。中間シート１５の外側縁１５Ｅは、吸収コア３１の外側縁３１Ｅよりも幅方向の外側に位置してよく、折り返し部１１の内側縁１１Ｉに一致してよい。
【００３６】
トップシート１０は、中間シート１５の肌対向面側Ｔ１の面を覆っている。トップシート１０は、折り返し線ＲＬを基点に非肌対向面側Ｔ２に折り返された折り返し部１１と、折り返し線ＲＬを基点に折り返されていない非折り返し部１２と、を有する。折り返し部１１は、中間シート１５よりも幅方向Ｗの外側において非肌対向面側Ｔ２に折り返されている。すなわち、折り返し線ＲＬは、中間シート１５の外側縁１５Ｅよりも幅方向Ｗの外側に位置している。折り返し部１１は、非折り返し部１２と重なっており、中間シート１５よりも幅方向Ｗの外側の領域において、折り返し部１１と非折り返し部１２は、積層されている。折り返し部１１と非折り返し部１２は、互いに接合されていなくてもよい。
【００３７】
吸収性物品１には、折り返し部１１が肌面側シート２０に接合された接合領域Ｒ１１と、接合領域Ｒ１１よりも幅方向Ｗの外側において折り返し部１１が肌面側シート２０に接合されていない非接合領域Ｒ１２と、を有する。接合領域Ｒ１１は、平面視にて、折り返し部１１と肌面側シート２０を接合する接合部１４が設けられた領域である。非接合領域Ｒ１２は、平面視にて、接合部１４よりも幅方向の外側において接合部１４が設けられていない領域である。非接合領域Ｒ１２の外側縁は、折り返し線ＲＬに一致する。なお、接合部１４が複数形成された形態にあっては、非接合領域Ｒ１２は、複数の接合部のうち最も幅方向の外側に位置する接合部１４よりも幅方向の外側の領域となる。接合領域Ｒ１１は、折り返し線ＲＬと離間して設けられている。非接合領域Ｒ１２は、接合部１４を基点に肌対向面側に起立可能である。
【００３８】
折り返し部１１の内側縁１１Ｉは、吸収コア３１の外側縁３１Ｅよりも幅方向Ｗの外側に位置してよく、肌面側シート２０の内側縁２０Ｉに一致してよい。折り返し線ＲＬは、ティッシュ層３２の外側縁３２Ｅよりも幅方向の外側に位置してよく、シート層３３の外側縁３３Ｅよりも幅方向の外側に位置してよい。非折り返し部１２は、中間シート１５の肌対向面側の面を全体にわたって覆っている。
【００３９】
ティッシュ層３２は、吸収コア３１の肌対向面側Ｔ１の面を覆っている。ティッシュ層３２の外側縁３２Ｅは、吸収コア３１の外側縁よりも幅方向の外側に位置し、シート層３３の外側縁３３Ｅよりも幅方向の内側に位置し、中間シート１５の外側縁よりも幅方向の外側に位置してよい。吸収コア３１よりも幅方向の外側の領域においては、ティッシュ層３２は、シート層３３の肌対向面側の面を覆っている。また、ティッシュ層３２は、中間シート１５の非肌対向面側Ｔ２の面を覆っている。中間シートよりも幅方向の外側の領域においては、ティッシュ層３２は、肌面側シート２０の非肌対向面側Ｔ２の面を覆っている。
【００４０】
シート層３３は、吸収コア３１とバックシート２５の間に位置し、吸収コア３１の非肌対向面側Ｔ２の面を覆っている。吸収コア及びティッシュ層３２よりも幅方向の外側の領域においては、シート層３３は、肌面側シート２０の非肌対向面側Ｔ２の面を覆っている。シート層３３は、エアレイドパルプからなるシート（パルプをバインダで接合しシート化した吸収シート）であってよい。エアレイドパルプによってシート層３３を構成することにより、後述する中央誘導部を介する体液の引き込み性を向上できる。
【００４１】
バックシート２５は、吸収性物品の全域に配置されており、厚さ方向の最も非肌対向面側に設けられている。バックシート２５は、シート層３３の非肌対向面側に配置されている。シート層３３よりも幅方向の外側の領域においては、バックシート２５は、肌面側シート２０の非肌対向面側に配置されている。
【００４２】
少なくとも吸収コア３１及びシート層３３は、中央誘導部７１を有する。中央誘導部７１は、記吸収コアの前記幅方向の中央において厚さ方向に凹み、かつ前後方向に沿っている。中央誘導部７１は、少なくとも吸収コア３１及びシート層３３に設けられていればよく、ティッシュ層３２にも設けられていてもよい。中央誘導部７１は、複数の突部を有する凸ローラー（不図示）と、表面が平らなアンビルローラー（不図示）との間のロール間隙に吸収コア３１等を通して圧搾加工を行い形成されてよい。中央誘導部７１は、非肌対向面側から圧搾加工されることによって形成されてよい。
【００４３】
中央誘導部７１の幅方向の両側には、少なくとも吸収コア３１が厚さ方向に圧縮され、かつ前後方向に沿う一対の圧搾部７２が設けられてよい。圧搾部７２は、幅方向に間隔を空けて配置されている。圧搾部７２は、少なくとも吸収コア３１に設けられていればよく、シート層３３、ティッシュ層３２、中間シート１５及びトップシート１０にも設けられていてもよい。圧搾部７２は、中央誘導部７１と同様に、複数の突部を有する凸ローラー（不図示）と、表面が平らなアンビルローラー（不図示）との間のロール間隙に吸収コア３１等を通して圧搾加工を行い形成されてよい。
【００４４】
吸収性物品は、吸収性物品の肌対向面同士が対向するように吸収性物品を折り畳むための一対の第１折り線ＦＬ１及び第２折り線ＦＬ２を少なくとも有し、使用前の状態において複数の折り線を介して折り畳まれている。図３は、吸収性物品１の折り畳み態様を説明するための図である。なお、本実施の形態の吸収性物品１は、包装シート７０と共に折り畳まれているが、変形例において包装シート７０を備えずに、吸収性物品１のみで折り畳まれていてよい。
【００４５】
吸収性物品１は、折り畳まれる際に、吸収性物品１の非肌対向面と包装シート７０が対向するように、包装シート７０上に配置されている。吸収性物品１が包装シート７０上に配置された状態で、吸収性物品１の一方の外側縁と包装シート７０の一方の外側縁が、前後方向Ｌに沿った第１折り線ＦＬ１を基点に内側に折り返される（図３（ａ）参照）。吸収性物品が展開した展開状態（折り畳まれる前の状態）で第１折り線ＦＬ１を挟んで配置される領域（第１折り線ＦＬ１の両側の領域）は、折り畳まれた折り畳み状態で肌対向面同士が対向している。なお、肌対向面同士が対向している状態は、一方の肌対向面と他方の肌対向面とが向き合っている状態であり、一方の肌対向面と他方の肌対向面との間に他の部材が配置されている状態も含む概念である。
【００４６】
次いで、吸収性物品１の他方の外側縁と包装シート７０の他方の外側縁が、前後方向Ｌに沿った第２折り線ＦＬ２を基点に内側に折り返される（図３（ｂ）参照）。吸収性物品１が展開した展開状態（折り畳まれる前の状態）で第２折り線ＦＬ２を挟んで配置される領域（第２折り線ＦＬ２の両側の領域）は、折り畳まれた折り畳み状態で肌対向面同士が対向している。第１折り線ＦＬ１及び第２折り線ＦＬ２は、本発明の一対の折り線を構成する。
【００４７】
次いで、第１折り線ＦＬ１及び第２折り線ＦＬ２によって折り畳まれた状態において、吸収性物品１の後端縁及び包装シート７０の後端縁が、幅方向Ｗに沿った第３折り線ＦＬ３を基点に内側に折り返される。次いで、吸収性物品１の前端縁及び包装シート７０の前端縁が、幅方向Ｗに沿った第４折り線ＦＬ４を基点に内側に折り返される（図３（ｃ）参照）。このように折り畳まれることにより、吸収性物品１は、幅方向Ｗの長さ及び前後方向Ｌの長さが短くなり、小型化される。よって、コンパクトな携帯性を実現できる。
【００４８】
このように折り畳まれた吸収性物品１を展開した展開状態において、吸収性物品１には、第１折り線ＦＬ１、第２折り線ＦＬ２、第３折り線ＦＬ３、及び第４折り線ＦＬ４による折り癖が形成されている。第１折り線ＦＬ１による折り癖及び第２折り線ＦＬ２による折り癖は、着用者に対して離れる折り癖となる。第１折り線ＦＬ１及び第２折り線ＦＬ２は、谷折りの折り線である。よって、展開状態において第１折り線ＦＬ１及び第２折り線ＦＬ２よりも幅方向Ｗの外側の領域は、第１折り線ＦＬ１及び第２折り線ＦＬ２を基点に起立する。
【００４９】
次いで、図４及び図５に基づいて、着用状態の吸収性物品について説明する。図４は、図１に示す２Ａ−２Ａ断面を基準とした断面において、吸収性物品１を下着Ｓに装着した状態を模式的に示しており、図５は、図４を基準とした断面における吸収コア３１及びティッシュ層３２の変形態様を模式的に示している。吸収性物品の幅方向の中央は、下着の肌対向面側に配置され、吸収性物品のウイング３は、下着Ｓの非肌対向面側Ｔ２に折り返されている。第１折り線ＦＬ１及び第２折り線ＦＬ２は、中間シート１５の外側縁１５Ｅよりも幅方向Ｗの外側に形成されている。非接合領域Ｒ１２の少なくとも一部は、第１折り線ＦＬ１及び第２折り線ＦＬ２よりも幅方向の外側に配置されてよい。
【００５０】
第１折り線ＦＬ１及び第２折り線ＦＬ２よりも幅方向Ｗの外側の非接合領域Ｒ１２は、着用時に折り癖によって着用者側により起立可能な起立部１３になる（図４参照）。トップシート１０の起立部１３が着用者の排泄口の側方で身体に当たり、横漏れを抑制できる。
【００５１】
また、吸収性物品に排出された体液は、トップシート１０を介して中間シート１５及び吸収コア３１に向かって導かれる。このとき、トップシート１０を介して中間シート１５に導かれた体液は、中間シート１５内を拡散し、中間シート１５の外側縁１５Ｅに導かれる。中間シート１５の外側縁１５Ｅは、第１折り線ＦＬ１及び第２折り線ＦＬ２よりも幅方向Ｗの内側に位置し、起立部１３まで体液が到達し難い。また、トップシート１０及び中間シート１５を通過した体液は、肌面側シート２０よりも非肌対向面側Ｔ２に位置する吸収コア３１に導かれる。そして、体液を吸収した吸収コア３１に体圧がかかると、体液が肌対向面側に滲み出ることがある。このとき、起立部１３と肌面側シート２０との間に空間が形成されることにより、吸収コア３１から肌面側シート２０に体液が導かれた場合であっても、当該体液が起立部に１３に到達し難い。よって、起立部１３を介した体液のリウェットを抑制できる。よって、横漏れを抑制しつつリウェットを防止する性能を向上できる。
【００５２】
なお、起立部１３の起立性をより確保するために、第１折り線ＦＬ１及び第２折り線ＦＬ２よりも幅方向Ｗの外側の領域に、接合部１４が配置されていないことが好ましく、接合部１４は、第１折り線ＦＬ１及び第２折り線ＦＬ２よりも幅方向Ｗの内側のみに位置してよい。接合部１４が第１折り線ＦＬ１及び第２折り線ＦＬ２よりも幅方向の内側のみに位置する形態にあっては、起立部１３の幅方向の範囲は、第１折り線ＦＬ１と折り返し線ＲＬとの間、及び第２折り線ＦＬ２と折り返し線ＲＬとの間となる。また、接合部１４が第１折り線ＦＬ１及び第２折り線ＦＬ２よりも幅方向の外側に位置する形態にあっては、起立部１３の幅方向の範囲は、接合部１４と折り返し線ＲＬの間となる。
【００５３】
また、中央誘導部７１は、厚さ方向Ｔに凹んでいる。トップシート１０を介して吸収コア３１に導かれた体液は、中央誘導部７１によって吸収コア３１に引き込まれるとともに、吸収コア３１よりも非肌対向面側Ｔ２に配置されたシート層３３に導かれる。排出された体液を非肌対向面側Ｔ２に引き込むことにより、体液のリウェットを抑制できる。また、吸収コア３１が厚み方向に圧縮された中央誘導部７１によれば、その密度が高いため、体液をより引きこみ易く、前後方向Ｌに拡散し易い。中央誘導部７１によって体液を引き込みかつ拡散することにより、体液のリウェットをより抑制できる。
【００５４】
図５に示すように、吸収性物品の着用時に、着用者の脚の挟み込みの力が作用すると、吸収コア３１は、幅方向Ｗの側部から中央部に向かって肌側に凸となる形状に変形する。具体的には、中央誘導部７１は、中央誘導部７１を基点として、吸収コア３１を厚さ方向Ｔの肌対向面側Ｔ１に折れ曲がるように誘導することができ、圧搾部７２は、圧搾部７２を基点として、吸収コア３１を厚さ方向Ｔの非肌対向面側に折れ曲がるように誘導することができる。そのため、幅方向Ｗの両側に位置する圧搾部７２を基点として中央誘導部７１が着用者側に立ち上がる形状を実現できる。着用者側に向かう凸状に吸収コア３１が変形することにより、中央誘導部７１と排泄口を近づけて配置でき、排泄口からの体液は、中央誘導部７１を介して引き込まれ易くなる。また、吸収コア３１の肌対向面側において体液が拡散した場合や吸収コア内を体液が拡散した場合にあっても、中央誘導部７１よりも幅方向Ｗの外側に位置する圧搾部７２によって前後方向Ｌに体液を導くことができ、体液の横漏れを抑制できる。
【００５５】
吸収コア３１の外側縁３１Ｅは、第１折り線ＦＬ１及び第２折り線ＦＬ２よりも幅方向Ｗの内側に位置してよい。よって、第１折り線ＦＬ１及び第２折り線ＦＬ２によって吸収性物品が折り畳まれる際に、吸収コア３１は、折り畳まれない。吸収コアとトップシートが共に折られる構成と比較して、折られた際の圧力が小さく、トップシートの硬化を抑制できる。よって、起立部の肌に対する当たりを和らげることができる。また、吸収コアとトップシートが共に折られる構成と比較して、着用時に折り癖によって吸収コアに追従し難く、吸収コアに対して立ち上がりやすくなる。起立部１３の起立性を維持し、より横漏れを抑制しつつリウェットを防止する性能を向上できる。
【００５６】
第１折り線ＦＬ１及び第２折り線ＦＬ２は、ティッシュ層３２に形成されてよい。すなわち、ティッシュ層３２の外側縁は、第１折り線ＦＬ１及び第２折り線ＦＬ２よりも幅方向Ｗの外側に位置してよい。ティッシュ層３２が第１折り線ＦＬ１及び第２折り線ＦＬ２によって折り畳まれると、折られる際に繊維間の隙間が広がる。そのため、第１折り線ＦＬ１及び第２折り線ＦＬ２が形成された部分の密度は、第１折り線ＦＬ１及び第２折り線ＦＬ２が形成されていない部分の密度よりも低くなる。ティッシュ層の密度は、吸収性物品の幅方向の中央から側方に向かって、高、低、高の順となる。よって、ティッシュ層内を体液が拡散した際に、第１折り線ＦＬ１及び第２折り線ＦＬ２が形成された部分（密度の低い部分）に体液が到達しても、更に側方の折り線が形成されていない部分（密度の高い部分）に体液が拡散しにくい。起立部１３と重なる領域に体液が拡散し難く、起立部１３を介したリウェットを抑制できる。
【００５７】
シート層３３は、ティッシュ層３２よりも幅方向Ｗの外側に延出してよい。ティッシュ層よりもシート層の方が幅方向の長さが長く、かつティッシュ層よりもシート層の方が繊維間の空隙に体液を引き込みやすいため、より身体から離れた側において体液を拡散させ、肌対向面側へのリウェットを抑制できる。例えば、吸収コア３１がＳＡＰを有しない形態やＳＡＰの量が少ない形態にあっては、ＳＡＰによって保持できない体液が存在し易く、シート層３３によって身体からより離れた側において体液を拡散させることにより、肌対向面側へのリウェットを効果的に抑制できる。
【００５８】
図１に示すように、吸収性物品１には、トップシート１０と中間シート１５を接合するエンボス部６０が形成されてよい。エンボス部６０は、平面視にて、中間シート１５が配置された領域のみに形成されてよい。本実施の形態では、中間シート１５は、吸収性物品１の前後方向Ｌの全域に亘って同じ幅で配置されており、エンボス部６０は、中間シート１５よりも幅方向Ｗの外側に配置されていない。エンボス部６０は、厚さ方向Ｔに凹んでおり、体液を平面方向に拡散できる。このとき、中間シートが配置された領域のみにエンボス部が形成されているため、体液が中間シートよりも幅方向の外側に拡散し難く、トップシートの起立部に拡散し難い。よって、より横漏れを抑制しつつリウェットを防止する性能を向上できる。
【００５９】
図１に示すように、吸収性物品の平面視にて、エンボス部６０は、線状に延び、かつ格子形状に配置された線エンボス部６１と、点状の点エンボス部６２と、を有してよい。線エンボス部６１は、線エンボス部６１が延びる方向に間隔をあけて配置されてよい。線エンボス部６１は、前後方向Ｌ及び幅方向Ｗに対して傾斜する第１方向Ｄ１と、第１方向Ｄ１と交差し、かつ前後方向Ｌ及び幅方向Ｗに対して傾斜する第２方向Ｄ２と、に延びている。線エンボス部６１は、第１方向Ｄ１において間隔を空けて配置され、かつ第２方向Ｄ２において間隔を空けて配置されてよい。第１方向Ｄ１に延びる線エンボス部６１と、第２方向Ｄ２に延びる線エンボス部６１と、によって菱形の形状を複数有する格子形状を形成している。点エンボス部６２は、線エンボス部６１間において格子形状の角部に配置されている。点エンボス部６２の幅は、線エンボス部６１の幅よりも長くてよい。
【００６０】
線エンボス部６１を介して拡散した体液は、点エンボス６２部に到達する。点エンボス部６２は、格子形状の角部に位置し、複数の線エンボス部６１を介して体液が集まる。エンボス部６０は、厚さ方向Ｔに凹んでおり、吸収コア３１との距離が短く、吸収コア３１に体液を導きやすい。点エンボス部６２の幅が線エンボス部６１の幅よりも長いため、集まった体液をより吸収コア３１に導きやすくなる。身体から離れた側に体液を導くことにより、リウェットをより抑制できる。
【００６１】
トップシート１０と中間シート１５を接合する接着剤を有してよい。すなわち、トップシート１０と中間シート１５は、エンボス部６０と接着剤とによって接合される。エンボス部６０と接着剤を併せて設けることにより、エンボス部６０の面積を低減し、エンボス部６０によるトップシート１０の肌対向面側の面の肌触りの低下を抑制できる。
【００６２】
また、接着剤は、平面視にて所定パターンを形成しており、所定パターンは、オメガパターン、ウェイブパターン又はスパイラルパターンを有してよい。接着剤が配置された領域と配置されていない領域を設けることができ、接着剤が配置されていない領域において体液の引き込み性を確保できる。
【００６３】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【符号の説明】
【００６４】
１      吸収性物品
１０    トップシート
１１    折り返し部
１２    非折り返し部
１３    起立部
１４    接合部
１５    中間シート
２０    肌面側シート
３１    吸収コア
３２    ティッシュ層
３３    シート層
６０    エンボス部
６１    線エンボス部
６２    点エンボス部
７１    中央誘導部
７２    圧搾部
ＦＬ１  第１折り線（折り線）
ＦＬ２  第２折り線（折り線）
Ｒ１１  接合領域
Ｒ１２  非接合領域
ＲＬ    折り返し線
Ｌ      前後方向
Ｗ      幅方向
Ｔ      厚さ方向
Ｔ１    肌対向面側
Ｔ２    非肌対向面側
【図１】
2020068972.tif 000003
【図２】
2020068972.tif 000004
【図３】
2020068972.tif 000005
【図４】
2020068972.tif 000006
【図５】
2020068972.tif 000007
【手続補正書】
【提出日】平成31年3月15日(2019.3.15)
【手続補正１】
【補正対象書類名】特許請求の範囲
【補正対象項目名】全文
【補正方法】変更
【補正の内容】
【特許請求の範囲】
【請求項１】
互いに直交する前後方向及び幅方向と、
トップシートと、
前記トップシートよりも非肌対向面側に配置された中間シートと、
前記中間シートよりも非肌対向面側に配置された吸収コアと、
前記トップシートよりも非肌対向面側であって、前記吸収コアよりも肌対向面側に配置された肌面側シートと、を有し、
吸収性物品の肌対向面同士が対向するように前記吸収性物品を折り畳むための一対の折り線が前記前後方向に沿って形成された吸収性物品であって、
前記トップシートは、前記中間シートよりも前記幅方向の外側において非肌対向面側に折り返された折り返し部を有し、
前記折り返し部が前記肌面側シートに対して接合された接合領域と、前記接合領域よりも前記幅方向の外側において前記折り返し部が前記肌面側シートに接合されていない非接合領域と、が設けられており、
前記非接合領域の少なくとも一部は、前記折り線よりも前記幅方向の外側に配置されており、
前記折り線は、前記中間シートの外側縁よりも前記幅方向の外側に形成されている、吸収性物品。
【請求項２】
互いに直交する前後方向及び幅方向と、
トップシートと、
前記トップシートよりも非肌対向面側に配置された吸収コアと、
前記トップシートよりも非肌対向面側であって、前記吸収コアよりも肌対向面側に配置された肌面側シートと、を有し、
吸収性物品の肌対向面同士が対向するように前記吸収性物品を折り畳むための一対の折り線が前記前後方向に沿って形成された吸収性物品であって、
前記吸収コアの非肌対向面側の面を覆うシート層を有し、
少なくとも前記吸収コアとシート層は、前記吸収コアの前記幅方向の中央において厚さ方向に凹み、前記前後方向に沿う中央誘導部を有し、
前記トップシートは、前記幅方向の外側において非肌対向面側に折り返された折り返し部を有し、
前記折り返し部が前記肌面側シートに対して接合された接合領域と、前記接合領域よりも前記幅方向の外側において前記折り返し部が前記肌面側シートに接合されていない非接合領域と、が設けられており、
前記非接合領域の少なくとも一部は、前記折り線よりも前記幅方向の外側に配置されており、
前記折り線は、前記非接合領域に形成されている、吸収性物品。
【請求項３】
前記中央誘導部の前記幅方向の両側には、少なくとも前記吸収コアが厚さ方向に圧縮され、かつ前記前後方向に沿う一対の圧搾部が設けられている、請求項２に記載の吸収性物品。
【請求項４】
前記吸収コアの外側縁は、前記折り線よりも前記幅方向の内側に位置する、請求項１から請求項３のいずれか１項に記載の吸収性物品。
【請求項５】
前記吸収コアの肌対向面側の面を覆うティッシュ層を有し、
前記折り線は、前記ティッシュ層に形成されている、請求項１から請求項４のいずれか１項に記載の吸収性物品。
【請求項６】
前記吸収コアの非肌対向面側の面を覆うシート層を有し、
前記シート層は、前記ティッシュ層よりも前記幅方向の外側に延出している、請求項５に記載の吸収性物品。
【請求項７】
前記トップシートと前記中間シートを接合するエンボス部が形成されており、
前記エンボス部は、前記中間シートが配置された領域のみに形成されている、請求項１に記載の吸収性物品。
【請求項８】
前記吸収性物品の平面視にて、前記エンボス部は、線状に延び、かつ格子形状に配置された線エンボス部と、点状の点エンボス部と、を有し、
前記線エンボス部は、前記線エンボス部が延びる方向に間隔をあけて配置され、
前記点エンボス部は、前記線エンボス部間において前記格子形状の角部に配置されており、
前記点エンボス部の幅は、前記線エンボス部の幅よりも長い、請求項７に記載の吸収性物品。
【請求項９】
前記トップシートと前記中間シートを接合する接着剤を有しており、
前記接着剤は、平面視にて所定パターンを形成しており、前記所定パターンは、オメガパターン、ウェイブパターン又はスパイラルパターンを有している、請求項７又は請求項８に記載の吸収性物品。